(57)【要約】【課題】取付用意でガタなどの発生が少ないシャッタ枠の取付構造を提供すること。【解決手段】窓枠１にシャッタ枠２を外側から取り付ける。窓枠１は外側に向かって開口する開口部をもつ断面コ字状の部材である。開口部の上方にある上壁１２の内側に長手方向にわたり形成された略外側に向けて開口する断面Ｃ字状のタッピングホール１２１と、開口部の下方にある下壁１１の内側に長手方向にわたり形成された上向きに突出する鉤部１１２とをもつ金属製の押出部材であり、シャッタ枠２の窓枠１側である基端部２２には、窓枠１の開口部の上下にてそれぞれ当接する上方及び下方における位置決め部２２１、２２２と、タッピングホール１２１の外周形状に概ね倣った内面形状をもち上方に向けて開口すると共に取付完了時にタッピングホール１２１の外周に内面で嵌合する嵌合部２３と、取付完了時に鉤部１１２と係合する係合部２４とを有することを特徴とする。【選択図】図３
2013170350.tif 000002
【特許請求の範囲】
【請求項１】
建物の開口に取り付けられた窓枠の上下枠の少なくとも一方である被取付窓枠にシャッタ枠を前記建物の外側から取り付けるシャッタ枠の取付構造であって、
前記被取付窓枠は、前記被取付窓枠の上方に設けられた上壁と、前記被取付窓枠の下方に設けられた下壁と、前記前記上壁及び前記下壁によって形成された前記建物の外側に向かって開口する開口部と、前記上壁の内側に前記被取付窓枠の長手方向にわたり形成された被嵌合部とを有し、
前記シャッタ枠は、前記被取付窓枠の前記開口部の上下にてそれぞれ当接する上方及び下方における位置決め部と、前記被取付窓枠側である基端部と、前記基端部に設けられた前記被嵌合部の外形状に倣った内面形状を有する嵌合部と、前記基端部に設けられた前記下壁と係止する係止部とを有し、
取付完了時に、前記嵌合部が、前記被嵌合部の外側と前記建物の内側から前記内面で嵌合することを特徴とするシャッタ枠の取付構造。
【請求項２】
前記被嵌合部は、中空形状であり、前記建物の外側に開口する被挿入部を有し、
前記シャッタ枠の前記基端部は、前記被挿入部の内面に挿入可能であり、挿入されると取付途中での前記被嵌合部との上下方向での相対移動を規制するフランジ部を前記長手方向の少なくとも一部に有する請求項１に記載のシャッタ枠の取付構造。
【請求項３】
前記被取付窓枠は、前記下壁から上向きに突出し、前記係合部と係合する鉤部を有する請求項１又は請求項２に記載のシャッタ枠の取付構造。
【請求項４】
前記被嵌合部は、前記長手方向に対して垂直に切った断面にて円弧部を有する請求項１〜３のうちの何れか１項に記載のシャッタ枠の取付構造。
【請求項５】
前記係合部の前記被取付窓枠側の先端部は先端に行くに従い上方に傾斜している請求項１〜４のうちの何れか１項に記載のシャッタ枠の取付構造。
【請求項６】
前記被取付窓枠は前記窓枠の下端部であり、
前記シャッタ枠の前記基端部は前記被取付窓枠に取り付けたときにその上面が前記被取付窓枠の上面と面一になる請求項１〜５のうちの何れか１項に記載のシャッタ枠の取付構造。
【発明の詳細な説明】
【技術分野】
【０００１】
本発明は、住宅の窓などの開口にシャッタ装置の枠体を取り付けるときのシャッタ枠の取付構造に関する。
【背景技術】
【０００２】
従来のシャッタ枠の取付構造としては、窓開口部３の窓枠の一部を構成する下窓枠（８）の屋外側にシャッタの下枠（３４）を取り付けるために窓枠（８）の上鉤部（３５）と下鉤部（３６）との間に下枠（３４）の基端部（３４ａ）と筋交部（３４ｃ）を引っ掛ける構造になっているものが開示される（特許文献１）
【先行技術文献】
【特許文献】
【０００３】
【特許文献１】特開２００３−２７８３９号公報（請求項１、要約など参照）
【発明の概要】
【発明が解決しようとする課題】
【０００４】
しかしながら、特許文献１に開示の取付構造では、上鉤部（３５）へ基端部（３４ａ）を挿入時に、基端部（３４ａ）の回転軌跡を確保するためのクリアランスが必要で、取付後にガタツキが出易い構造になっている。そのため、ガタツキによる音が発生しやすくなっている。
【０００５】
本発明は上記実情に鑑み完成したものであり、容易に取付可能であって、ガタツキなどの発生を抑制することも容易なシャッタ枠の取付構造を提供することを解決すべき課題とする。
【課題を解決するための手段】
【０００６】
（１）上記課題を解決する本発明のシャッタ枠の取付構造は、建物の開口に取り付けられた窓枠の上下枠の少なくとも一方である被取付窓枠にシャッタ枠を前記建物の外側から取り付けるシャッタ枠の取付構造であって、
前記被取付窓枠は、前記被取付窓枠の上方に設けられた上壁と、前記被取付窓枠の下方に設けられた下壁と、前記前記上壁及び前記下壁によって形成された前記建物の外側に向かって開口する開口部と、前記上壁の内側に前記被取付窓枠の長手方向にわたり形成された被嵌合部とを有し、
前記シャッタ枠は、前記被取付窓枠の前記開口部の上下にてそれぞれ当接する上方及び下方における位置決め部と、前記被取付窓枠側である基端部と、前記基端部に設けられた前記被嵌合部の外形状に倣った内面形状を有する嵌合部と、前記基端部に設けられた前記下壁と係止する係止部とを有し、
取付完了時に、前記嵌合部が、前記被嵌合部の外側と前記建物の内側から前記内面で嵌合することを特徴とする。
【０００７】
また、（１）に記載のシャッタ枠の取付構造は以下の（２）〜（６）うちの１つ以上の構成を任意に組み合わせることが可能である。
（２）前記被嵌合部は、中空形状であり、前記建物の外側に開口する被挿入部を有し、前記シャッタ枠の前記基端部は、前記被挿入部の内面に挿入可能であり、挿入されると取付途中での前記被嵌合部との上下方向での相対移動を規制するフランジ部を前記長手方向の少なくとも一部に有する。
（３）前記被取付窓枠は、前記下壁から上向きに突出し、前記係合部と係合する鉤部を有する。
（４）前記被嵌合部は、前記長手方向に対して垂直に切った断面にて円弧部を有する。
（５）前記係合部の前記被取付窓枠側の先端部は先端に行くに従い上方に傾斜している。
（６）前記被取付窓枠は前記窓枠の下端部であり、
前記シャッタ枠の前記基端部は前記被取付窓枠に取り付けたときにその上面が前記被取付窓枠の上面と面一になる。
【発明の効果】
【０００８】
上記（１）の構成を採用すると、例えば、シャッタ枠を下側の被取付部に取り付ける場合、シャッタ枠を先端が上方に向いた状態に傾けた上で、基端部の上方にある位置決め部を開口部に当接させると、被嵌合部の外形状に向けて嵌合部を下方から当接させることができる。嵌合部の内面が被嵌合部の外形状に沿って滑らせるように、シャッタ枠を開口部内に押し込んでいくと、最終的には基端部に下方にある位置決め部が被取付窓枠の開口部に至り、被取付窓枠と基端部との相対位置が規定される。
【０００９】
このときに、嵌合部の内面を被嵌合部の外形状に対して相対的に滑らせることで、嵌合部と被嵌合部が嵌合するため、基端部の上方にある位置決め部は常に被取付窓枠の開口部に当接した状態を保つことができる。そのため、取付作業時にシャッタ枠を回転させることができると共に、取付後には、上面側における隙間を小さくすることができるため、ガタツキの発生を抑制できる。また、取付作業時にはシャッタ枠を先端が下がる方向へ回動させる方向だけで済み、常に加える力の向きを同じにすることができる。
【００１０】
上記（２）の構成を採用すると、フランジ部が被嵌合部の内部（被挿入部）に挿入されることにより、取付作業時にシャッタ枠を支えていなくても保持することが可能になり作業性が向上する。
【００１１】
上記（３）の構成を採用すると、基端部に設けられた係合部が被取付窓枠に設けられた鉤部に係合して抜けを防止するとともにガタツキの発生を抑制できる。
【００１２】
上記（４）の構成を採用すると、被嵌合部が円弧状であれば、取付作業時にシャッタ枠を円滑に回転させることができるため、容易に取付作業が行うことができる。
【００１３】
上記（５）の構成を採用すると、係合部を被取付窓枠の開口部に円滑に挿入することが可能になり、挿入するときに引っ掛かりなどが生じることを防止できる。
【００１４】
上記（６）の構成を採用すると、シャッタ枠と被取付窓枠との接合部の意匠性を向上できる。接合部を面一にできるのは嵌合部が被嵌合部の外周に沿って移動できるため、シャッタ枠の上面を被取付窓枠の上面に密着させることができるからである。
【図面の簡単な説明】
【００１５】
【図１】本実施形態のシャッタ枠の取付構造が適用できるシャッタ装置を示した概略斜視図である。
【図２】実施形態１のシャッタ枠と窓枠との関係を示す概略断面図である。
【図３】実施形態１のシャッタ枠を窓枠に取り付ける途中経過を示す概略断面図である。
【図４】実施形態２のシャッタ枠と窓枠との関係を示す概略断面図である。
【図５】図４の丸Ａ部分の部分拡大図である。
【図６】実施形態２のシャッタ枠を窓枠に取り付ける途中経過を示す概略断面図である。
【発明を実施するための形態】
【００１６】
本発明のシャッタ枠の取付構造について図面を参照しながら実施形態に基づき詳細に説明を行う。説明に利用する図面は概略図であり、細かい部分での形状や相対的な位置関係、大きさの関係などは必ずしも厳密に記載されているものでは無い。なお、以下の説明において説明を分かりやすくする目的で、異なる実施形態の間においても同じ部材や同様の作用効果を発現する部材については同じ符号又は関連する符号を付けている場合があるがそれは両者の関係を不必要に限定することを意図するものでは無い。
【００１７】
本実施形態のシャッタ枠の取付構造は、窓枠を構成する被取付窓枠としての窓枠下端１又は５に対してシャッタ枠としてのシャッタ下枠２又は６を取り付けるための構造である。
【００１８】
シャッタ下枠２の上面はシャッタカーテン３の下端部が当接してシャッタ全体として閉状態を実現する。シャッタ枠はシャッタ下枠２又は６の他、図示は省略するが、シャッタ上枠、シャッタ横枠とから構成されている。シャッタ上枠にはシャッタ巻取り装置７が取り付けられている。シャッタ巻取り装置７はシャッタカーテン３を巻取ることでシャッタカーテン３を巻上げたり巻き下ろしたりする巻取体８をもつ。シャッタ横枠はシャッタカーテンの側部を保持するガイドレール４が取り付けられる。
【００１９】
（実施形態１）
図２を参照しながら本実施形態の取付構造について説明する。図２は、シャッタ装置が取り付けられる家屋などの建築物の開口周辺の下方の一部を模式的に示した横断面図である。本実施形態の取付構造が適用される窓枠（被取付窓枠）１は窓枠の下端部に位置し、家屋の窓の一部を構成する。窓は２枚障子９２．９３からなる引き違い窓である。更に外側（図２においては図面左方側）には開閉可能な網戸９１が配置されている。取り付けられるシャッターは網戸９１の更に外側に配設される。壁９４には外壁材９５も固定される。
【００２０】
窓枠１はアルミニウムの押出材から形成されており、外側から内側（図２においては図面右方側）に向かって窓枠固定ネジ１４にて壁９４に固定されている。窓枠１は外側に向かって開口する開口部をもち略コ字状の断面をもつ。窓枠１は上方に位置する上壁１２と下方に位置する下壁１１とをもつ。上壁１２と下壁１１との間は立壁１３にて連結されている。窓枠１の壁９４への固定は立壁１３に穿孔されたねじ穴１３２を窓枠固定ネジ１４にて固定することで行う。
【００２１】
上壁１２の内側には長手方向（図２の紙面に直交する方向）の全体にわたってタッピングホール１２１（被嵌合部）が形成されている。タッピングホール１２１は前斜め下に開口する断面形状が略Ｃ字状の部材であり、上壁１２と一体的に押し出し成型されている。タッピングホール１２１は外周がほぼ円筒形状である。上壁１２は外側先端部まではなだらかに下方に下がりながらもほぼ水平に外側に突出しており、更にその先端部から下方に向けて位置決め当接部１１１が突出している。下壁１１は略水平に外側に向けて突出しており、突出した先端部から上方に向けて僅かに突出する鉤部１１２をもつ。
【００２２】
シャッタ下枠２は外側に向かうほど僅かに先細になる中空の断面台形である本体部２０と本体部２０の先端部下方より外側に延設される鍔部２１とから構成されたアルミニウム製の押出材である。本体部２０の内側（基端部２２）には上下方向両端にある位置決め部２２１、２２２と嵌合部２３とリブ（係合部）２４とが設けられている。位置決め部２２１（２２２）は窓枠１の上壁１２（下壁１１）の先端部にある当接部１１１（鉤部１１２）の外側に当接することにより、シャッタ下枠２が窓枠１に取り付けられたときの両者の相対位置を規定する。嵌合部２３は基端部２２から内側方向に垂直に立ち上がる基底部２３１と基底部２３１の先端からタッピングホール１２１の外周に沿った形状で延設される嵌合部先端２３２とをもつ。リブ２４は基端部２２の位置決め部２２２の直ぐ上の辺りから内側に向けて突出しており先端２４２が僅かに上方に屈曲している。リブ２４の下方には鉤部１１２と係合可能な突起２４１が形成されている。
【００２３】
シャッタ下枠２を窓枠１に取り付ける方法を説明する。図３に示すように、シャッタ下枠２は先端（鍔部２１）を上方に傾けた状態で嵌合部２３を窓枠１に挿入する。嵌合部２３の嵌合部先端２３２の内側がタッピングホール１２１の外周に当接するようにする。その時にシャッタ下枠２の位置決め部２２１は窓枠１の上壁１２先端の当接部１２１に当接した状態に保たれる。
【００２４】
そうすると、リブ２４の先端２４２は上方に屈曲しているために鉤部１１２を上方に避けて窓枠１の内部に侵入する。そのまま、シャッタ下枠２を窓枠１に押しつけながら矢印Ａの方向に回転させて、リブ２４を更に窓枠１内に進入させると、リブ２４の突起２４１が鉤部１１２を乗り越えて窓枠１内部に侵入し、結果、リブ２４の突起２４１と鉤部１１２とが係合してリブ２４が窓枠１から抜けなくなる。これでシャッタ下枠２の窓枠１への取付（固定）が完了する。
【００２５】
ここで、シャッタ下枠２を矢印Ａに向けて回転させるときには嵌合部先端２３２はタッピングホール１２１の外周面に沿って移動していくため、シャッタ下枠２の位置決め部２２１と窓枠１の当接部１２１との間は常に当接した状態を保つことが可能になる。また、嵌合部２３とタッピングホール１２１との嵌合は嵌合部２３の弾性によって少々のずれや誤差をも許容可能である。すなわち、シャッタ下枠２を窓枠１に取り付け完了したときに、嵌合部２３の嵌合部先端２３２が僅かに弾性変形（内側下方への変形）することでシャッタ下枠２を窓枠１方向に引き込む方向に働くため、位置決め部２２１と当接部１２１との間の寸歩誤差などが存在しても隙間は生起しないようにできる。従って、シャッタ下枠２と窓枠１との間は隙間なく取り付け可能であり、意匠性に優れた取付構造が提供できる。また、取付作業時においてはシャッタ下枠２を矢印Ａ方向にのみ回転させればよく、途中で反転などの操作をすることも要求されないため簡単な操作である。さらに、シャッタ枠２と窓枠１とのリブ２４の爪先の引っかかりや、雨水やゴミ等が溜まるのを抑制できる。
【００２６】
（実施形態２）
本実施形態の取付構造について図４に基づいて説明を行う。図４は、シャッタ装置が取り付けられる家屋などの建築物の開口周辺の下方の一部を模式的に示した横断面図である。本構造は概ね実施形態１の構造と同様の構造を持つ。
【００２７】
本実施形態の取付構造が適用される窓枠（被取付窓枠）５は窓枠の下端部に位置し、家屋の窓の一部を構成する。窓は２枚障子９２．９３からなる引き違い窓である。更に外側には開閉可能な網戸９１が配置されている。取り付けられるシャッタは網戸９１の更に外側に配設される。壁９４には外壁材９５も固定される。
【００２８】
窓枠５はアルミニウムの押出材から形成されており、外側から内側に向かって窓枠固定ネジ１４にて壁９４に固定されている。窓枠５は外側に向かって開口する開口部をもち略コ字状の断面をもつ。窓枠５は上方に位置する上壁５３と下方に位置する下壁５１とをもつ。上壁５３と下壁５１との間は立壁５２にて連結されている。窓枠５の壁９４への固定は立壁５２に穿孔されたねじ穴５２２を窓枠固定ネジ１４にて固定することで行う。
【００２９】
上壁５３の内側には長手方向（図４の紙面に直交する方向）の全体にわたってタッピングホール５３１が形成されている。タッピングホール５３１は前斜め下に被挿入部５３１１（図４の丸Ａ内を拡大した図５の記載を参照：図５は丸Ａ内の特にタッピングホール５３１の部分を拡大して示すものである。）が開口する断面形状が略Ｃ字状の部材であり、上壁５３と一体的に押し出し成型されている。タッピングホール５３１は外周がほぼ円筒形状である。上壁５３は外側先端部まではなだらかに下方に下がりながらもほぼ水平に外側に突出しており、更にその先端部から下方に向けて位置決め当接部５３２が突出している。上壁５３は下壁５１よりも外側への長さが短い。下壁５１は略水平に外側に向けて突出しており、突出した先端部から上方に向けて僅かに突出する鉤部５１１をもつ。
【００３０】
シャッタ下枠６は外側に向かうほど僅かに先細になる中空の断面台形である本体部６０と本体部６０の先端部下方より外側に延設される鍔部６１とから構成されたアルミニウム製の押出材である。本体部６０の内側（基端部６２）には上下方向両端にある位置決め部６３１、６３２と嵌合部６３とリブ（係合部）６４とが設けられている。位置決め部６２１（６２２）は窓枠１の上壁５３（下壁５１）の先端部にある当接部５３２（鉤部５１１）の外側に当接することにより、シャッタ下枠６が窓枠５に取り付けられたときの両者の相対位置を規定する。嵌合部６３は基端部６２から内側方向に垂直に立ち上がる基底部６３１と基底部６３１の先端からタッピングホール５３１の外周に沿った形状で延設される嵌合部先端６３２とをもつ。リブ６４は基端部６２の位置決め部６２２の直ぐ上の辺りから内側に向けて突出しており先端６４２が僅かに上方に屈曲している。リブ６４の下方には鉤部５１１と係合可能な突起２４１が形成されている。嵌合部６３の基底部６３１の先端からはフランジ部６３３が形成される。フランジ部６３３は基底部６３１の先端から一旦上方に向けて延設された後、内側且つ僅かに下方に向けて延設された部材である。
【００３１】
シャッタ下枠６を窓枠５に取り付ける方法を説明する。図６に示すように、シャッタ下枠６は先端（鍔部６１）を上方に傾けた状態で嵌合部６３を窓枠５に挿入する。その時に、嵌合部６３の嵌合部先端６３２の内側がタッピングホール５３１の外周に当接するようにし、更に、フランジ部６３３の先端がタッピングホール５３１の内側（被挿入部５３１１）に挿入されるようにする。ここで、上壁５３が下壁５１よりも外側方向での突出長さが短いのはフランジ部６３３を被挿入部５３１１に挿入するときに邪魔にならないようにするためである。その時にシャッタ下枠６の位置決め部６２１は窓枠５の上壁５３先端の当接部５３２に当接した状態に保たれる。
【００３２】
そうすると、リブ６４の先端６４２は上方に屈曲しているために鉤部５１１を上方に避けて窓枠５の内部に侵入する。そのまま、シャッタ下枠６を窓枠５に押しつけながら矢印Ａの方向に回転させて、リブ６４を更に窓枠５内に進入させると、リブ６４の突起６４１が鉤部５１１を乗り越えて窓枠５内部に侵入し、結果、リブ６４の突起６４１と鉤部５１１とが係合してリブ２４が窓枠１から抜けなくなる。これでシャッタ下枠６の窓枠５への取付（固定）が完了する。なお、フランジ部６３３が被挿入部５３１１に挿入されているために、実施形態１と比較してシャッタ下枠６は強く支えなくても窓枠５から外れることは無い。
【００３３】
ここで、シャッタ下枠６を矢印Ａに向けて回転させるときには嵌合部先端６３２はタッピングホール５３１の外周面に沿って移動していくため、シャッタ下枠６の位置決め部６２１と窓枠５の当接部５３２との間は常に当接した状態を保つことが可能になる。また、嵌合部６３とタッピングホール５３１との嵌合は嵌合部６３の弾性によって少々のずれや誤差の存在をも許容可能である。すなわち、シャッタ下枠６を窓枠５に取り付け完了したときに、嵌合部６３の嵌合部先端６３２が僅かに弾性変形（内側下方への変形）することでシャッタ下枠６を窓枠５方向に引き込む方向に働くため、位置決め部６２１と当接部５３２との間の寸歩誤差などが存在しても隙間は生起しないようにできる。
【００３４】
従って、シャッタ下枠６と窓枠５との間は隙間なく取り付け可能であり、意匠性に優れた取付構造が提供できる。また、取付作業時においてはシャッタ下枠６を矢印Ａ方向にのみ回転させればよく、途中で反転などの操作をすることも要求されないため簡単な操作である。特に、シャッタ下枠６を下に外れないように支える必要性も少ないので更に取付作業の作業性が向上する。さらに、シャッタ下枠６と窓枠５とのリブ２４の爪先の引っかかりや、雨水やゴミ等が溜まるのを抑制できる。
【００３５】
（その他の実施形態）
以上、本発明の好適な実施形態について説明したが、本発明は上記実施形態に限定されるものではない。本発明の趣旨を逸脱しない限りは適宜その構成要素を変更乃至は変形することも可能である。
【符号の説明】
【００３６】
１、５…窓枠    １１、５１…下壁    １２、５３…上壁    １３、５２…立壁    １３２、５２２…ねじ穴    １２１、５３１…タッピングホール    ５３１１…被挿入部    １１１、５３２…当接部（上方）    １１２、５１１…当接部（下方）    １４…窓枠固定ネジ
２、６…シャッタ下枠    ２０、６０…本体部    ２１、６１…鍔部    ２２、６２…基端部    ２２１、６２１…位置決め部（上方）    ２２２、６２２…位置決め部（下方）    ２３、６３…嵌合部    ２３１、６３１…基底部    ２３２、６３２…嵌合部先端    ６３３…フランジ部    ２４、６４…リブ（係合部）    ２４１、６４１…突起    ２４２、６４２…先端
３…シャッタカーテン    ３１…スラット    ３２…採光部
４…ガイドレール
７…巻取り装置
８…巻取体
９１…網戸    ９２、９３…障子    ９４…壁    ９５…外壁材
【図１】
2013170350.tif 000003
【図２】
2013170350.tif 000004
【図３】
2013170350.tif 000005
【図４】
2013170350.tif 000006
【図５】
2013170350.tif 000007
【図６】
2013170350.tif 000008